(57)【特許請求の範囲】
【請求項１】
座席に設置され入出力接続部を備えた座席端末と、前記座席端末の入出力接続部と他の装置とを接続する接続用ケーブルと、前記座席端末を覆うカバーとで構成され、前記座席端末は、信号処理回路基板と略同一面に配置した本体電源回路基板からなる本体基板と、前記本体基板と略垂直に接続し入出力用接続部を搭載した第１の入出力基板と、前記本体基板と略垂直に接続し入出力用接続部を搭載した第２の入出力基板とで構成され、前記第１の入出力基板と前記第２の入出力基板を隣接して配置し、且つ本体基板の略中央部に配置したことを特徴とする座席端末装置。
【請求項２】
前記第１の入出力基板と前記第２の入出力基板とを略平行に配置し、前記第１の入出力基板の第１の面に手元端末、表示端末とを接続する入出力接続部を配置し、前記第１の入出力基板の第１の面とは反対面の前記第２の入出力基板の第２の面に前後部の座席、または中継器、または中央処理装置とを接続する入出力接続部を配置し，音声、映像、データ信号の送受信または電源供給用の入出力接続部としたことを特徴とする請求項１記載の座席端末装置。
【発明の詳細な説明】
【０００１】
【発明の属する技術分野】
本発明は、航空機、鉄道、船舶、球場、劇場等において、乗客、利用者に音声、映像、データ、信号、電源などのサービスを提供する座席端末装置に関する。
【０００２】
【従来の技術】
近年、航空機、鉄道、船、球場、劇場等の座席で、音声・画像・データなどの提供サービスを受けられることが一般化している。
【０００３】
従来、座席端末構成は、特開平０１-３４１４３０号公報に記載された構成のものが知られており、座席端末間やその他の機器と接続するためのケーブル結合部においては、ケーブルメーカーや座席端末装置供給者より、ケーブルに必要な曲げ半径や接続のための必要寸法、接続部長さ、それらケーブル、ケーブル曲げ半径、接続部を含んだ体積を覆うカバーを設置することなどが、端末機器設置情報として一般的に座席メーカに供給されている。
【０００４】
図４に従来の座席端末装置の構成を示している。１は２〜４座席に１台設置される座席端末で、１−１は座席端末１に配置された入出力接続部、２，３，４，５は上記入出力接続部と中央処理装置や分配器、前後席の座席端末など（図示せず）とを接続する接続用ケーブル（２座席分配用としている）、６は当該座席、７は上記座席端末１を覆うカバー、８は取付ネジまたはファスナー、９は手元端末、１０は表示端末で構成されている。
【０００５】
中央処理装置からの音楽、映像等のサービス情報は、分配器（図示せず）、２〜４座席に１台設置されている座席端末１、手元端末９、表示端末１０を通して乗客・利用者に供給される。該当座席６の乗客・利用者は、手元端末９を操作して、欲しい音楽、映像を選択し、音声は手元端末９を経由して、また映像は前席や前方に設置された表示端末１０に表示して空、鉄道、船、球場、劇場等での時間に音楽、映像を楽しむ。ここで、手元端末９と表示端末１０、および前後席の座席端末（図示せず）は、座席端末１に対し、確実に接続用ケーブル２，３，４，５を配線・接続する必要がある。また、座席端末１への飲料などの液体流入による故障、また乗客の接触による接続外れなどの不具合発生を防ぐために、カバー７が装着される。
【０００６】
【特許文献１】
特開平０１-３４１４３０号公報
【０００７】
【発明が解決しようとする課題】
座席端末１は、主に乗客・利用者の座席足元に設置することが一般的に行われているが、そのために乗客・利用者の足元スペースを狭くしているのが現状である。
【０００８】
ここで、乗客・利用者の足元のスペースを確保して良好な居住性を維持するため、前記座席端末１、および前記カバー７は、省スペース化した設置が要求されている。
【０００９】
しかしながら、実際の座席組立や航空機内などでの配線作業において、座席端末１に対する接続用ケーブル２、３、４、５の配線・接続では、入出力用接続部１−１の設置寸法や接続用ケーブル２、３、４、５に必要とされる曲げ半径により、座席端末１の本体投影外形よりケーブルおよび接続部がはみだし、結果としてそれらをすべてを覆うためのカバー７が一回りも二回りも大きくなっている。これにより、座席居住性が悪化して、たとえば航空機においては、エコノミー症候群等が発生する一因と考えられているなどが現状である。
【００１０】
本発明は、航空機、鉄道、船、球場、劇場等の座席端末設置において、上記課題を解決し、省スペースで構成できる座席端末装置を提供することを目的とする。
【００１１】
【課題を解決するための手段】
この課題を解決するために本発明は、座席に設置され入出力接続部を備えた座席端末と、前記座席端末の入出力接続部と他の装置とを接続する接続用ケーブルと、前記座席端末を覆うカバーとで構成され、前記座席端末は、信号処理回路基板と略同一面に配置した本体電源回路基板からなる本体基板と、前記本体基板と略垂直に接続し入出力用接続部を搭載した第１の入出力基板と、前記本体基板と略垂直に接続し入出力用接続部を搭載した第２の入出力基板とで構成され、前記第１の入出力基板と前記第２の入出力基板を隣接して配置し、且つ本体基板の略中央部に配置したことを特徴とする座席端末装置であり、この構成によって、前記接続用ケーブルに必要とされる曲げ半径、および引出し長さ、接続部長さを、前記座席端末を含む座席端末本体を投影した本体投影面積内に収めることができ、省スペースで構成できる端末装置が得られる。
【００１２】
【発明の実施の形態】
本発明の請求項１に記載の発明は、座席に設置され入出力接続部を備えた座席端末と、前記座席端末の入出力接続部と他の装置とを接続する接続用ケーブルと、前記座席端末を覆うカバーとで構成され、前記座席端末は、信号処理回路基板と略同一面に配置した本体電源回路基板からなる本体基板と、前記本体基板と略垂直に接続し入出力用接続部を搭載した第１の入出力基板と、前記本体基板と略垂直に接続し入出力用接続部を搭載した第２の入出力基板とで構成され、前記第１の入出力基板と前記第２の入出力基板を隣接して配置し、且つ本体基板の略中央部に配置したことを特徴とする座席端末装置としたものであり、前記カバーを座席端末の本体投影面積を含む座席端末本体とほぼ同じ容積に小型化できるとともに、構造の簡素化・配線の自由度を確保する利点がある。
【００１４】
請求項２に記載の発明は、前記第１の入出力基板と前記第２の入出力基板とを略平行に配置し、前記第１の入出力基板の第１の面に手元端末、表示端末とを接続する入出力接続部を配置し、前記第１の入出力基板の第１の面とは反対面の前記第２の入出力基板の第２の面に前後部の座席、または中継器、または中央処理装置とを接続する入出力接続部を配置し，音声、映像、データ信号の送受信または電源供給用の入出力接続部としたことを特徴とする請求項１記載の座席端末装置としたものであり、配線の合理性を確保する作用がある。
【００１５】
以下、本発明の実施の形態について、図１から図３を用いて説明する。
【００１６】
（実施の形態１）
図１に本発明の座席端末構成を示す。
【００１７】
図１において、本発明の座席端末装置は、２〜４座席に１台設置される座席端末１（２座席用）と、座席端末１に配置された入出力接続部１−１と、手元端末９と、表示端末１０と、前後席の座席端末、中継器、中央処理装置（図示せず）などと入出力接続部１−１とを接続する接続用ケーブル２，３，４，５と、座席６と、座席端末１を覆うカバー７と、カバー７を固定するネジまたはファスナー８で構成される。
【００１８】
以上のように構成された座席端末装置について以下に詳細を説明する。
【００１９】
図に示すように、前記座席端末１に設置された入出力接続部１−１の近傍で、前記接続用ケーブル２，３，４，５に必要とされる曲げ半径、引出し長さ、前記入出力接続部１−１の設置寸法を、座席端末１を含む座席端末本体の本体投影面積内に収めることにより、前記カバー７を座席端末１の本体投影面積を含む座席端末本体とほぼ同じ容積に小型化構成ができる利点を有する。
【００２０】
このような構成にすることで，座席端末間やその他の機器と接続するためのケーブル接続部においては、ケーブルメーカや座席端末装置供給業者より提供され、ケーブルの振動、屈曲などによる信頼性の低下を防ぐ目的のケーブルに必要な曲げ半径や接続のための必要寸法などの規格を遵守しつつ、入出力接続部、接続用ケーブル引出し部分を座席端末装置本体内に収めることが可能となり省スペースで構成できる端末装置が実現できる。ここで、ケーブルの曲げ半径を本体投影面積内に入れているが、本体投影面積よりストレートに引き出しても、前後の座席への配線、座席内での配線が必要であるので、いずれにしてもケーブルを曲げることが必要になることを付け加えておく。
【００２１】
（実施の形態２）
図２に本発明の座席端末１の詳細を示す。
図２において、座席端末１は、入出力接続部１−１を搭載した入出力第１基板１１，入出力第２基板１２と、本体信号処理回路を搭載した基板１３と、本体電源回路を搭載した基板１４とで構成される。
なお、図２において１１〜１４以外のもので符号を付したものとは図１と同一のものである。
【００２２】
以上にように構成された座席端末１について以下に詳細を説明する。
【００２３】
入出力接続部１−１を搭載したサブ基板である入出力第１基板１１，入出力第２基板１２と、本体信号処理回路を搭載した本体(メイン)基板である基板１３とを略垂直に、基板対基板コネクターまたはハーネスで接続して構成し、同様に入出力接続部１−１を搭載したサブ基板である入出力第１基板１１，入出力第２基板１２と本体電源回路を搭載した本体(メイン)基板である基板１４を略垂直に、基板対基板コネクターまたはハーネスで接続して構成し、且つ各サブ基板１１，１２を本体(メイン)基板１３，１４の略中央に電気的安全距離（たとえば“電位差１００〜１２０Ｖの導体間距離は２．５ｍｍ以上”などと規定した、既知の各種安全規格）を確保しながら、隣接して配置し、各サブ基板上の入出力接続部１−１より接続用ケーブル２，３，４，５に必要な曲げ半径や接続のための必要寸法、接続部の寸法を図のように配置することにより、入出力接続部１−１、接続用ケーブル２，３，４，５の引出し部を本体投影面積内に収めることが可能であり、構造の簡素化を実現する利点を有する。
【００２４】
（実施の形態３）
図３に本発明の座席端末構成を示す。
【００２５】
図３において、座席端末１の入出力接続部として、前後部の座席，中継器、中央処理装置とを接続する入出力接続部１−２を入出力第１基板１１の片面に配置し、同様に座席端末１の入出力接続部として、手元端末、表示端末とを接続する入出力接続部１−３を、入出力接続部１−２を配置した入出力第１基板１１の面とは異なる側の入出力第２基板１２の片面側に配置する。
なお、図３において１−２、１−３以外のもので符号を付したものとは図１と同一のものである。
【００２６】
以上のように構成された座席端末装置について以下に詳細を説明する。
【００２７】
前後席の座席端末、中継器、中央処理装置などと入出力接続部１−２は、接続用ケーブル２，３によって座席端末１の下方の床下などを通り互いに接続され、手元端末、表示端末と入出力接続部１−３は、接続用ケーブル４，５によって座席端末１の上方を通り互いに接続されるようにし、音声・映像・データ信号の送信用、電源供給をするように構成している。ここで、入出力接続部１−２、１−３は図２に示されるように、各々入出力第１基板１１、入出力第２基板１２に配置されている。なお、図３において、入出力接続部１−２および１−３は座席の前後方向に配置されているが、入出力接続部１−２を座席端末１の下方に、また、入出力接続部１−３を座席端末１の上方に配置し、同様に座席端末１の本体投影面積内に収めることも可能である。
【００２８】
このように入出力第１基板１１、入出力第２基板１２、入出力接続部１−２、１−３、接続用ケーブル２，３、４，５を配置構成することで、小型化の可能な構成・配線の合理性を確保した座席端末装置を実現することが可能である。
【００２９】
【発明の効果】
以上のように本発明によれば、省スペースを実現する構成にすることで、乗客に対して快適な居住性の中で、各種サービスを提供する優れた座席端末装置が得られる。
【図面の簡単な説明】
【図１】本発明の一実施の形態を示す構成図
【図２】本発明の一実施の形態を示す構成図
【図３】本発明の一実施の形態を示す構成図
【図４】従来のシステムを示す構成図
【符号の説明】
１  座席端末
１−１，１−２,１−３  座席端末の入出力接続部
２，３，４，５  接続用ケーブル
６  座席
７  カバー
８  ネジまたはファスナー
９  手元端末
１０  表示端末
１１  入出力第１基板（サブ基板)
１２  入出力第２基板（サブ基板）
１３  本体信号処理回路搭載した基板（本体（メイン）基板）
１４  本体電源回路を搭載した基板（本体（メイン）基板）
【図１】
0003724484.tif 000002
【図２】
0003724484.tif 000003
【図３】
0003724484.tif 000004
【図４】
0003724484.tif 000005